(57)【要約】【課題】予め設定された複数の機能を設置現場の仕様に応じて選択設定し、その設定した機能をスイッチを増加させることなく実行させる、装置の大型化およびコスト高を抑えた火災受信機を提供する。【解決手段】オプションスイッチ５０と、予め設定された複数の機能のうちから選択された一つの機能が格納される第１の記憶手段１４と、オプションスイッチ５０の操作に基づいて、第１の記憶手段１４に格納された機能を実行する制御手段１１とを備えたものである。【選択図】        図１
2004302964.tif 000002
【特許請求の範囲】
【請求項１】
オプションスイッチと、
予め設定された複数の機能のうちから選択された一つの機能が格納される第１の記憶手段と、
前記オプションスイッチの操作に基づいて、前記第１の記憶手段に格納された機能を実行する制御手段と
を備えたことを特徴とする火災受信機。
【請求項２】
予め設定された複数の機能のうちから選択された一つの機能が格納される第１の記憶手段と、
前記第１の記憶手段に格納された機能を実行する制御手段と
を備えたことを特徴とする火災受信機。
【請求項３】
操作部と、予め設定された複数の機能が格納される第２の記憶手段とを設け、
前記制御手段は、前記操作部の操作に基づいて、前記第２の記憶手段に格納されている予め設定された複数の機能のうちから一つの機能を選択して前記第１の記憶手段に格納することを特徴とする請求項１または２記載の火災受信機。
【請求項４】
前記第２の記憶手段に格納される予め設定された複数の機能は、外部機器を前記制御手段を介して制御することを特徴とする請求項３記載の火災受信機。
【発明の詳細な説明】
【０００１】
【発明の属する技術分野】
本発明は、接続された火災感知器等からの信号により火災を監視して警報する火災受信機に関するものである。
【０００２】
【従来の技術】
例えばビルなどの建物に設置された火災警報システムは、同建物に設置された火災感知器が火災の発生を感知して火災感知信号を出力すると、火災受信機がその火災感知信号を受信して火災が発生した旨を表示するとともに、地区ベル等の音響装置を鳴動させて火災の発生を建物内の人に報知したり、外部機器である通報装置を介して警備センタや消防署などに通報するものである。
【０００３】
そして、このような従来の火災受信機は、例えば火災時に地区の音響装置に送る信号、移報信号を出力する移報スイッチおよびその出力を遮断するスイッチ、警備センタや消防署に火災の発生を通報する通報装置に送る信号を出力するスイッチおよびその出力を遮断するスイッチ、各地区の音響装置を一斉に鳴動させるスイッチおよびその一斉鳴動を停止するスイッチ、外部機器である非常放送設備と連動させる信号を出力するスイッチおよびその出力を遮断するスイッチなど、各種の機能に対応してそれぞれにスイッチが設けられている（例えば、特許文献１参照）。
【０００４】
【特許文献１】
実用新案登録第２６０７６８０号公報（第２−３頁、図２）
【０００５】
【発明が解決しようとする課題】
上記のような従来の火災受信機は、各種機能に対応してそれぞれスイッチが１つずつ設けられていたので、機能数が増すとともにスイッチも増えてしまい、火災受信機を大型にしなければならず、設置スペースやコスト高になるという問題があった。また、火災受信機の設置現場の仕様に応じては、必要でない機能のスイッチも設けられていたので、無駄が多くデザイン性も悪くなってしまうとともに、火災受信機の操作になれていないユーザが緊急時等で操作する場合に、必要でない機能のスイッチが紛らわしさを招いて必要な機能のスイッチを正しく操作できないなど、場合によっては誤動作を招くおそれがあった。
【０００６】
本発明は、上記のような課題を解決するためになされたもので、予め設定された複数の機能を設置現場の仕様に応じて選択設定し、その設定した機能をスイッチを増加させることなく実行させる、装置の大型化およびコスト高を抑えた火災受信機を提供することを目的としたものである。
【０００７】
【課題を解決するための手段】
本発明に係る火災受信機は、オプションスイッチと、予め設定された複数の機能のうちから選択された一つの機能が格納される第１の記憶手段と、オプションスイッチの操作に基づいて、第１の記憶手段に格納された機能を実行する制御手段とを備えたものである。
【０００８】
本発明に係る火災受信機は、予め設定された複数の機能のうちから選択された一つの機能が格納される第１の記憶手段と、第１の記憶手段に格納された機能を実行する制御手段とを備えたものである。
【０００９】
本発明に係る火災受信機は、操作部と、予め設定された複数の機能が格納される第２の記憶手段とを設け、制御手段は、操作部の操作に基づいて、第２の記憶手段に格納されている予め設定された複数の機能のうちから一つの機能を選択して第１の記憶手段に格納するものである。
【００１０】
本発明に係る火災受信機の第２の記憶手段に格納される予め設定された複数の機能は、外部機器を制御手段を介して制御するものである。
【００１１】
【発明の実施の形態】
実施の形態１．
図１は本発明の実施の形態の構成を示すブロック図、図２は本発明の実施の形態に係る操作パネルの正面図である。図において、１は例えばビルなどの建物に設けられる火災警報システムを構成する火災受信機で、例えば同建物の管理室等に設置され、建物内の各階各所に設置された火災感知器２あるいは各階の共用部等に設置された発信機３からの火災感知信号により発生した火災の警報を行う火災警報制御機能、および、火災受信機１の内部において、選択され感知器回線から火災感知信号が擬似的に供給されたとして、自己が正常に動作しているか否か、例えば選択された感知器回線で火災が発生したことを表示する機能や表示内容などのデータ設定に関する機能などが正常に動作しているか否かを確認する火災試験などの各種の試験機能を有している。
【００１２】
火災受信機１は、制御手段である制御部１１と、制御部１１が実行すべき各種機能（プログラム）が予め格納されている第２の記憶手段であるプログラムメモリ１２と、制御部１１が各種機能を実行する際に作業用として用いられる作業用メモリ１３と、火災警報システムの初期データや作業者により設定された各種データ、プログラムメモリ１２に格納されている予め設定された各種機能のうちから選択された一つの機能が格納される第１の記憶手段であるデータメモリ１４と、各階各所に設置された外部機器であって音響装置である地区ベル４のうちから選択された地区ベル４に対して、地区音響回線Ｆ１〜Ｆｎを介して駆動させる地区ベル駆動回路１５−１〜１５−ｎと、火災感知器２から火災感知信号が出力されるとその旨を感知器回線Ｌ１〜Ｌｎを介して制御部１１に通知するとともに、発信機３から火災感知信号（発信機信号）が出力されるとその旨を発信機回線Ａ１〜Ａｎを介して制御部１１に通知する火災検出回路１６−１〜１６−ｎと、後述するオプションスイッチの操作に基づいてデータメモリ１４に格納された機能を制御部１１を介して実行させるオプションスイッチ用制御回路１７と、火災の発生を音響装置であるブザー等で報知させる音響部１８と、表示部１９と、操作部２０と、通話回線Ｔ１〜Ｔｎを介して火災受信機１に設置された送受話器２２と発信機３に設置された送受話器（図示せず）との通話を可能にする通話回路２１とを備えている。
【００１３】
制御部１１は、マイクロプロセッサ（ＭＰＵ）等からなり、プログラムメモリ１２に格納された各種機能を実行することにより、火災警報制御機能および各種の試験機能等を実行し、火災受信機１の内部および火災警報システム全体を制御する。
【００１４】
表示部１９は、図２に示すように、火災受信機１の正面の操作パネル１ａに設けられ、例えば発光ダイオード（ＬＥＤ）からなる地区灯２３と、地区灯２３の右側に設けられてその地区灯２３が属する警戒区域名が記入された記入部（図示せず）とから構成された地区窓部２４と、ＬＥＤからなる火災代表灯２５、交流電源灯２６、発信機灯２７、蓄積中灯２８、誤操作防止中灯２９、スイッチ注意灯３０、電話灯３１、非常放送中灯３２、異常代表灯３３、回路電圧灯３４、予備電源灯３５、ヒューズ灯３６、保守設定中灯３７、蓄積解除灯３８、試験復旧灯３９、自動復旧灯４０、火災試験灯４１、予備電源試験灯４２および後述する各操作スイッチにそれぞれ対応したスイッチ灯４３などの各種表示灯４４とを備えている。
【００１５】
操作部２０は、図２に示すように、火災受信機１の正面の操作パネル１ａに設けられ、警報音を停止させるための受信機警報音停止スイッチ４６と、地区ベルの鳴動を一時停止させるための地区ベル一時停止スイッチ４７と、火災・蓄積状態から平常状態に復旧させるための復旧スイッチ４８と、移報信号を遮断させるための移報遮断スイッチ４９と、データメモリ１４に格納された機能を実行させるためのオプションスイッチ５０と、保守設定中に「蓄積解除」、「試験復旧」、「自動復旧」などの機能を選択するための選択スイッチ５１と、選択された機能を実行するための実行スイッチ５２と、火災受信機１の操作パネル１ａの正面から見えない箇所に設けられ、オプションスイッチ５０の操作に基づいて実行される後述するいずれかの機能を選択設定するために火災受信機１を機能設定可能状態にする設定用スイッチ５３（図１参照）と、設定用スイッチ５３と同様に操作パネル１ａの正面から見えない箇所に設けられ、火災受信機１に電源を投入するとともに、設定用スイッチ５３と同様に火災受信機１をオプションスイッチ５０の機能設定可能状態にする電源スイッチ５４（図１参照）とを備えている。
【００１６】
オプションスイッチ用制御回路１７は、例えば火災が発生したことを警備センタや消防署に通報する通報信号を出力する外部機器である通報装置５あるいは地区ベル４とともに音声による警報をする外部機器である非常放送設備６に接続されており、オプションスイッチ５０の操作に基づいて、通報装置５または非常放送設備６に制御部１１を介して移報信号を出力する。
【００１７】
オプションスイッチ５０の操作に基づいて実行されるべきデータメモリ１４に格納される機能は、次の表１に示すように、（１）移報機能、（２）未使用、（３）地区ベル一斉鳴動機能、（４）非常放送連動遮断機能の４つのうちのいずれか一つである。なお、ここでは４つの機能を示したが、さらに複数の機能を有するようにしてもよい。そして、制御部１１は、オプションスイッチ５０のオン／オフの信号を用いてその機能を実行させる場合（上記（１）、（３）、（４）を示す）と、オプションスイッチ５０のオン／オフに関係なく機能を実行させる場合（上記（２）未使用を示す）とがあり、以下に詳しく説明する。
【００１８】
【表１】
2004302964.tif 000003
【００１９】
（１）移報機能
この場合の機能は、制御部１１からオプションスイッチ用制御回路１７を介して通報装置５に移報信号を出力するかしないかを操作入力する機能、移報信号手動出力機能であり、火災発生時等に、オプションスイッチ５０がオフであると、オプションスイッチ用制御回路１７からこのオプションスイッチ用制御回路１７に接続されている通報装置５に移報信号を出力せず、オプションスイッチ５０がオンであると、オプションスイッチ用制御回路１７から通報装置５に移報信号を出力するものである。なお、オプションスイッチ用制御回路１７に接続される外部機器は通報装置５に限定されない。
【００２０】
（２）未使用
この場合の機能は、オプションスイッチ５０のオン／オフに関係なく、制御部１１が、１回線以上の火災感知器２または発信機３からの火災感知信号を受信した場合に、制御部１１からオプションスイッチ用制御回路１７を介して通報装置５に火災代表移報信号を出力する機能、火災代表移報信号自動出力機能であり、通常の火災監視状態では火災代表移報信号を出力しないものである。
なお、火災感知器２は、火災を感知すると該当する感知器回線Ｌ１〜Ｌｎを介して火災感知信号を対応するいずれかの火災検出回路１６−１〜１６−ｎに出力するものであり、発信機３は、発信機３に設けられた押しボタン（図示せず）がオン操作されると該当する感知器回線Ｌ１〜Ｌｎを介して火災感知信号を対応するいずれかの火災検出回路１６−１〜１６−ｎに出力するとともに、該当する発信機回線Ａ１〜Ａｎを介して発信機信号を対応するいずれかの火災検出回路１６−１〜１６−ｎに出力するものである。このため、火災検出回路１６−１〜１６−ｎは、感知器回線Ｌ１〜Ｌｎからのみ火災感知信号が入力された場合は火災感知器２の発報と判断し、感知器回線Ｌ１〜Ｌｎからの火災感知信号および発信機回線Ａ１〜Ａｎからの発信機信号が入力された場合は発信機３の発報と判断する。
【００２１】
（３）地区ベル一斉鳴動機能
この場合の機能は、火災感知器２からの火災感知信号の出力が１回線のみの状態のときに、地区ベル４の一斉鳴動を行うかまたは火災感知信号を出力した火災感知器２に連動する地区ベル４を鳴動させる区分鳴動を行うかを操作入力する機能、地区ベル鳴動方式選択機能であり、例えば感知器回線Ｌ１のみで火災感知器２からの火災感知信号が出力されている状態で、オプションスイッチ５０がオフであると、データメモリ１４に格納されている連動マトリクスデータに基づいて、発報した感知器回線Ｌ１に連動した地区ベル４を例えば地区ベル回線Ｆ１およびＦ２を介して鳴動させる区分鳴動を行い、オプションスイッチ５０がオンであると、発報した感知器回線Ｌ１に関係なく地区ベル回線Ｆ１〜Ｆｎを介して地区ベル４の一斉鳴動を行う。
なお、２回線以上の火災感知器２または１回線以上の発信機３からの火災感知信号が出力された場合は、自動的に各地区ベル４を一斉鳴動させる。
また、オプションスイッチ用制御回路１７は、いずれの外部機器にも接続されず、何も制御しない。
【００２２】
（４）非常放送連動遮断機能
この場合の機能は、２回線以上の火災感知器２または１回線以上の発信機３からの火災感知信号が出力された場合に、制御部１１からオプションスイッチ用制御回路１７を介して非常放送設備６に火災確定移報信号を出力するかしないかを操作入力する機能、火災確定移報信号出力機能であり、２回線以上の火災感知器２または１回線以上の発信機３からの火災感知信号が出力された場合に、オプションスイッチ５０がオフであると、オプションスイッチ用制御回路１７からこのオプションスイッチ用制御回路１７に接続されている非常放送設備６に火災確定移報信号を出力し、非常放送設備６により図示しないアンプの電源をオンして音響装置により音声警報を行える非常放送可能状態とし、オプションスイッチ５０がオンであると、オプションスイッチ用制御回路１７から非常放送設備６に火災確定移報信号を出力せず、非常放送設備６により音声警報を行わない非常放送遮断状態とするものである。
【００２３】
次に、このように構成された火災受信機１が上記（１）の移報機能に設定されて実行される場合の作用について、図３のフローチャートを用いて説明する。
まず、オプションスイッチ５０の操作に基づいて実行されるべき機能をデータメモリ１４に選択設定して格納するため、作業者が火災受信機１に設けられている操作部２０の設定用スイッチ５３を押下しながら電源スイッチ５４を押下し、火災受信機１の操作パネル１ａに設けられた表示部１９の交流電源灯２６、発信機灯２７、蓄積中灯２８、誤操作防止中灯２９、スイッチ注意灯３０、電話灯３１および非常放送中灯３２を上から順番にスクロール点灯させて、オプションスイッチ５０の機能設定可能状態にする。ついで、所定のスイッチ操作、例えば操作部２０の選択スイッチ５１を数回（ここでは３回）押下して、所定の表示灯、例えば「自動復旧」の自動復旧灯４０を点灯させ、実行スイッチ５２を押下してオプションスイッチ５０の機能設定状態にする。さらに、所定のスイッチ操作、例えば選択スイッチ５１を数回（ここでは１回）押下して、予め決められた表示灯、例えば「予備電源」の予備電源灯３５を点灯させ、実行スイッチ５２を押下してオプションスイッチ５０の機能選択可能状態にする。そして、所定のスイッチ操作、例えば選択スイッチ５１を数回（ここでは０回）押下して、予め決められた表示灯、例えば地区窓部２４の１番目の地区灯２３を点灯させ、実行スイッチ５２を押下してオプションスイッチ５０の機能、例えば上記（１）の移報機能を選択する。
【００２４】
このとき、地区窓部２４の２番目の地区灯２３を点灯させて実行スイッチ５２を押下した場合は、オプションスイッチ５０の機能として上記（２）の未使用が選択され、地区窓部２４の３番目の地区灯２３を点灯させて実行スイッチ５２を押下した場合は、上記（３）の地区ベル一斉鳴動機能が選択され、地区窓部２４の４番目の地区灯２３を点灯させて実行スイッチ５２を押下した場合は、上記（４）の非常放送連動遮断機能が選択される。
すなわち、オプションスイッチ５０の表１に示す機能が、それぞれ地区窓部２４の１〜４番目の地区灯２３の点灯に対応して選択されたことがわかる。
【００２５】
選択後、オプションスイッチ５０を押下して設定した機能をデータメモリ１４に格納したら、電源スイッチ５４をオフして機能設定可能状態を終了し、再度電源スイッチ５４を押下して、火災受信機１を通常の火災監視状態とする。
【００２６】
火災監視状態において、いずれかの階で火災が発生した場合、この火災受信機１はオプションスイッチ５０の機能として上記（１）の移報機能が設定されているため、警部センタや消防署等に火災が発生したことを通報するために、管理人等が火災を確認し、オプションスイッチ５０を押下する。オプションスイッチ５０をオンすると、オプションスイッチ５０に対応するスイッチ灯４３が点灯する。制御部１１は、データメモリ１４に格納されている上記（１）の移報機能を実行し、オプションスイッチ５０がオンであるかを判断して（図３のＳ１）、オンの場合は、オプションスイッチ用制御回路１７を介して通報装置５に移報信号（この場合は警備センタや消防署等に火災が発生したことを知らせる通報信号）を出力する（Ｓ２）。その後、火災受信機１における火災発生時の他の処理を行わせる（Ｓ３）。そして、通報装置５は警備センタや消防署等に通報信号を出力する。また、オプションスイッチ５０がオフの場合は（Ｓ１）、オプションスイッチ用制御回路１７を介して通報装置５に移報信号を出力させず、火災受信機１における火災発生時の他の処理を行わせる（Ｓ３）。
【００２７】
火災鎮火後、復旧スイッチ４８を押下すると、火災受信機１は通常の火災監視状態に復旧する。
【００２８】
このように、火災受信機１に予め設定した複数の機能のうちから選択された一つの機能を実行させるオプションスイッチ５０を設けたので、火災受信機１の設置現場の仕様に応じてオプションスイッチ５０の機能を選択設定することができ、各機能に対応したスイッチをそれぞれ設ける必要がなくなって、スイッチの増加を防ぐことができる。これにより、スイッチの増加に伴う装置の大型化およびコスト高を抑えることができる。また、余分なスイッチを減らすことができるため、デザイン性もよくすることができるとともに、スイッチの誤操作を防止することもできる。さらに、オプションスイッチ５０の機能の設定は簡単な操作で行えるので、設置現場の仕様が変更しても対応可能な火災受信機１を得ることができる。
【００２９】
【発明の効果】
以上のように本発明に係る火災受信機は、オプションスイッチと、予め設定された複数の機能のうちから選択された一つの機能が格納される第１の記憶手段と、オプションスイッチの操作に基づいて、第１の記憶手段に格納された機能を実行する制御手段とを備えたので、各機能に対応したスイッチをそれぞれ設ける必要がなくなり、スイッチの増加を防ぐとともに、スイッチの増加に伴う装置の大型化およびコスト高を抑えることができる。また、余分なスイッチを減らすことができるため、スイッチの誤操作を防止することもできる。
【００３０】
本発明に係る火災受信機は、予め設定された複数の機能のうちから選択された一つの機能が格納される第１の記憶手段と、第１の記憶手段に格納された機能を実行する制御手段とを備えたので、余分なスイッチを減らしてスイッチの増加を防ぐことができ、デザイン性がよく装置の大型化およびコスト高を抑えることができる。
【００３１】
本発明に係る火災受信機は、操作部と、予め設定された複数の機能が格納される第２の記憶手段とを設け、制御手段は、操作部の操作に基づいて、第２の記憶手段に格納されている予め設定された複数の機能のうちから一つの機能を選択して第１の記憶手段に格納するので、簡単な操作で、設置現場の仕様に対応した機能を選択設定できるとともに、設置現場の仕様が変更した場合でも容易に対応可能な火災受信機を得ることができる。
【００３２】
本発明に係る火災受信機の第２の記憶手段に格納される予め設定された複数の機能は、外部機器を制御手段を介して制御するので、設置現場によって外部機器の設置状況などが異なる場合でも、簡単な操作で設置現場の仕様に対応した外部機器を用いる機能を選択設定することができる。
【図面の簡単な説明】
【図１】本発明の実施の形態の構成を示すブロック図である。
【図２】本発明の実施の形態に係る操作パネルの説明図である。
【図３】本発明の実施の形態に係る移報機能の作用を示すフローチャートである。
【符号の説明】
１  火災受信機、１１  制御部、１２  プログラムメモリ、１４  データメモリ、２０  操作部、５０  オプションスイッチ。
【図１】
2004302964.tif 000004
【図２】
2004302964.tif 000005
【図３】
2004302964.tif 000006